(57)【要約】【課題】    定着装置のサイズを大きくすることなく、定着領域の加熱領域の幅を種々の幅のシートに対して正確に調節可能にすること。【解決手段】  互いに圧接しながら回転する加熱ロールＦｈと加圧用回転部材Ｆｐとを有し、加熱ロールＦｈおよび加圧用回転部材Ｆｐの定着領域Ｑ５を通過する記録シートＳ上の未定着トナー像を定着する定着用回転部材Ｆｈ＋Ｆｐと、円筒状の回転スリーブ１と、その内部に配置されたハロゲンランプｈと、回転スリーブ１の内側で且つハロゲンランプｈの外側に配置されたスリット２ａが形成された固定スリーブ２とを有する加熱ロールＦｈと、固定スリーブ２の内側で且つハロゲンランプｈの外側に回転可能に配置されて回転時にハロゲンランプｈからスリット２ａに照射される光の軸方向の長さを調節する回転遮光部材４を有する加熱ロールＦｈと、を備えた定着装置。【選択図】  図２
2006267420.tif 000002
【特許請求の範囲】
【請求項１】
下記の構成要件（Ａ01）〜（Ａ03）を備えたことを特徴とする定着装置、
（Ａ01）互いに圧接しながら回転する加熱ロールと加圧用回転部材とを有し、前記加熱ロールおよび加圧用回転部材の圧接領域により形成される定着領域を通過する記録シート上の未定着トナー像を定着する定着用回転部材、
（Ａ02）円筒状の回転スリーブと、前記回転スリーブ内部に配置され且つ軸方向に沿って配置されたハロゲンランプと、前記回転スリーブの内側で且つ前記ハロゲンランプの外側に配置された固定スリーブであって前記ハロゲンランプの光を前記定着領域を通過する前記回転スリーブの内周面に照射するスリットが形成された前記固定スリーブとを有する前記加熱ロール、
（Ａ03）前記固定スリーブの内側で且つ前記ハロゲンランプの外側に回転可能に配置されて回転時にハロゲンランプから前記スリットに照射される光の軸方向の長さを調節する回転遮光部材を有する前記加熱ロール。
【請求項２】
下記の構成要件（Ａ01），（Ａ02），（Ａ04）を備えたことを特徴とする定着装置、
（Ａ01）互いに圧接しながら回転する加熱ロールと加圧用回転部材とを有し、前記加熱ロールおよび加圧用回転部材の圧接領域により形成される定着領域を通過する記録シート上の未定着トナー像を定着する定着用回転部材、
（Ａ02）円筒状の回転スリーブと、前記回転スリーブ内部に配置され且つ軸方向に沿って配置されたハロゲンランプと、前記回転スリーブの内側で且つ前記ハロゲンランプの外側に配置された固定スリーブであって前記ハロゲンランプの光を前記定着領域を通過する前記回転スリーブの内周面に照射するスリットが形成された前記固定スリーブとを有する前記加熱ロール、
（Ａ04）回転可能に支持されて回転時に前記ハロゲンランプから前記スリットに照射される光の軸方向の長さを調節する遮光部を有する前記加熱ロール。
【発明の詳細な説明】
【技術分野】
【０００１】
本発明は、電子写真複写機やレーザープリンタ等の画像形成装置のトナー像形成装置により形成され、記録シートに転写されたトナー像を加熱定着する定着装置に関し、特に、互いに圧接しながら回転する加熱ロールと加圧用回転部材との圧接領域により定着領域を形成し、前記定着領域を通過する前記記録シート上のトナー像を定着する定着装置に関する。
【背景技術】
【０００２】
このような定着装置では、定着領域の幅は前記定着領域を通過するシートの最大シート幅に対応して設定されている。したがって、最大シート幅よりも小さい幅のシート（小サイズ幅シート）が前記定着領域を通過する際には、前記定着領域のシート幅方向の一部分の領域（シート通過領域）のみを通過する。その場合、定着領域は、シート通過領域と、シート非通過領域とに別れる。
【０００３】
前記最大シート幅のシート上のトナー像を加熱定着する場合には、前記定着領域全域を加熱する必要があるが、前記小サイズ幅シート上のトナー像を加熱定着する際には、前記小サイズ幅シートが通過するシート通過領域のみを加熱すればよい。前記小サイズ幅シートが定着領域を通過する際に、仮に定着領域全体を加熱した場合、シート通過領域はシートが通過する度に通過シートにより冷却されるが、シートが通過しないシート非通過領域は冷却されることなく、温度が上昇する。したがって、定着領域を通過するシート幅に応じて、前記定着領域の加熱領域幅を調節する必要がある。
【０００４】
前記定着領域の加熱領域幅を調節する従来技術としては次の方法（Ｊ01），（Ｊ02）が公知である。
（Ｊ01）特許文献１〜５記載の技術
特許文献１〜５記載の技術はいずれも、シート非通過領域の過昇温を防ぎ安定した定着を目指している。そして前記特許文献１〜５には、所定のシート幅（例えば、Ａ４サイズシートのショートエッジ幅、すなわち、２１０ｍｍ）の発光領域（加熱領域）を持つ加熱源と、その他の領域をカバーする加熱源を複数設け、前記複数の加熱源を選択的に加熱する定着装置が記載されている。
【０００５】
（Ｊ02）特許文献６，７記載の技術
特許文献６〜７記載の技術では、加熱源にハロゲンヒータを使用し、前記ハロゲンヒータの周囲に長手方向に移動可能な光遮断部材を設け、シート非通過領域の過昇温を防ぐ定着装置が記載されている。
【０００６】
【特許文献１】特開平６−１１９８７号公報
【特許文献２】特開平９−２４４４６５号公報
【特許文献３】特開平２００１−２６５１５７号公報
【特許文献４】特開平２００２−１６９４０８号公報
【特許文献５】特開平２００２−２１４９５９号公報
【特許文献６】特開平６−１３８７８９号公報
【特許文献７】特開平４−３６５０８０号公報
【発明の開示】
【発明が解決しようとする課題】
【０００７】
（前記従来の方法（Ｊ01）の問題点）
前記従来の方法（Ｊ01）では、シートサイズ幅の種類が増加してきた場合に定着領域温度を適切に制御するためには、必要な加熱源の数が増加する。また、加熱源の数が少ないと、定着領域温度を適切に制御することが困難になり、シート非通過領域の温度が過昇温となる場合が生じる。その場合、前記過昇温した領域の温度が低下するまで、加熱源の加熱を休止しなければならない。
（前記従来の方法（Ｊ02）の問題点）
前記光遮断部材を、前記ハロゲンヒータの長手方向の両端よりもさらに外側まで移動させる必要があるので、定着装置のサイズが大きくなるという欠点がある。
本発明は、前述の検討結果に鑑み、下記の記載内容（Ｏ01）を技術的課題とする。
（Ｏ01）定着装置のサイズを大きくすることなく、定着領域の加熱領域の幅を種々のシート幅のシートに対して正確に調節可能にすること。
【課題を解決するための手段】
【０００８】
次に、前記課題を解決した本発明を説明するが、本発明の説明において本発明の構成要素の後に付記したカッコ内の符号は、本発明の構成要素に対応する後述の実施例の構成要素の符号である。なお、本発明を後述の実施例の構成要素の符号と対応させて説明する理由は、本発明の理解を容易にするためであり、本発明の範囲を実施例に限定するためではない。
（第１発明）
前記課題を解決するために本発明の定着装置は、下記の構成要件（Ａ01）〜（Ａ03）を備えたことを特徴とする。
（Ａ01）互いに圧接しながら回転する加熱ロール（Ｆｈ）と加圧用回転部材（Ｆｐ）とを有し、前記加熱ロール（Ｆｈ）および加圧用回転部材（Ｆｐ）の圧接領域により形成される定着領域（Ｑ５）を通過する記録シート（Ｓ）上の未定着トナー像を定着する定着用回転部材（Ｆｈ＋Ｆｐ）、
（Ａ02）円筒状の回転スリーブ（１）と、前記回転スリーブ（１）内部に配置され且つ軸方向に沿って配置されたハロゲンランプ（ｈ）と、前記回転スリーブ（１）の内側で且つ前記ハロゲンランプ（ｈ）の外側に配置された固定スリーブ（２）であって前記ハロゲンランプ（ｈ）の光を前記定着領域（Ｑ５）を通過する前記回転スリーブ（１）の内周面に照射するスリット（２ａ）が形成された前記固定スリーブ（２）とを有する前記加熱ロール（Ｆｈ）、
（Ａ03）前記固定スリーブ（２）の内側で且つ前記ハロゲンランプ（ｈ）の外側に回転可能に配置されて回転時にハロゲンランプ（ｈ）から前記スリット（２ａ）に照射される光の軸方向の長さを調節する回転遮光部材（４）を有する前記加熱ロール（Ｆｈ）。
【０００９】
（第１発明の作用）
前記構成要件（Ａ01）〜（Ａ03）を備えた本発明の定着装置（Ｆ）では、互いに圧接しながら回転する加熱ロール（Ｆｈ）と加圧用回転部材（Ｆｐ）とを有する定着用回転部材（Ｆｈ＋Ｆｐ）は、前記加熱ロール（Ｆｈ）および加圧用回転部材（Ｆｐ）の圧接領域により形成される定着領域（Ｑ５）を通過する記録シート（Ｓ）上のトナー像を定着する。
円筒状の回転スリーブ（１）内部に配置され且つ軸方向に沿って配置されたハロゲンランプ（ｈ）は、加熱用の照射光を出射する。前記ハロゲンランプ（ｈ）から出射した加熱用の照射光は、前記回転スリーブ（１）の内側で且つ前記ハロゲンランプ（ｈ）の外側に配置された固定スリーブ（２）のスリット（２ａ）を通過して前記定着領域（Ｑ５）を通過する前記回転スリーブ（１）の内周面に照射される。このため、定着領域（Ｑ５）の温度は上昇する。
前記固定スリーブ（２）の内側で且つ前記ハロゲンランプ（ｈ）の外側に回転可能に配置された回転遮光部材（４）は、回転時にハロゲンランプ（ｈ）から前記スリット（２ａ）に照射される光の加熱ロール軸方向の長さを調節する。
したがって、前記回転遮光部材（４）を回転させることにより、定着領域（Ｑ５）を通過するシート幅に応じた幅の定着領域（Ｑ５）を加熱することができる。
【００１０】
（第２発明）
第２発明の定着装置（Ｆ）は、下記の構成要件（Ａ01），（Ａ02），（Ａ04）を備えたことを特徴とする。
（Ａ01）互いに圧接しながら回転する加熱ロール（Ｆｈ）と加圧用回転部材（Ｆｐ）とを有し、前記加熱ロール（Ｆｈ）および加圧用回転部材（Ｆｐ）の圧接領域により形成される定着領域（Ｑ５）を通過する記録シート（Ｓ）上の未定着トナー像を定着する定着用回転部材（Ｆｈ＋Ｆｐ）、
（Ａ02）円筒状の回転スリーブ（１）と、前記回転スリーブ（１）内部に配置され且つ軸方向に沿って配置されたハロゲンランプ（ｈ）と、前記回転スリーブ（１）の内側で且つ前記ハロゲンランプ（ｈ）の外側に配置された固定スリーブ（２）であって前記ハロゲンランプ（ｈ）の光を前記定着領域（Ｑ５）を通過する前記回転スリーブ（１）の内周面に照射するスリット（２ａ）が形成された前記固定スリーブ（２）とを有する前記加熱ロール（Ｆｈ）、
（Ａ03）回転可能に支持されて回転時に前記ハロゲンランプ（ｈ）から前記スリット（２ａ）に照射される光の軸方向の長さを調節する遮光部（６ａ）を有する前記加熱ロール（Ｆｈ）。
【００１１】
（第２発明の作用）
前記構成要件（Ａ01）〜（Ａ05），（Ａ07）を備えた第２発明の定着装置（Ｆ）では、互いに圧接しながら回転する加熱ロール（Ｆｈ）と加圧用回転部材（Ｆｐ）とを有する定着用回転部材（Ｆｈ＋Ｆｐ）は、前記加熱ロール（Ｆｈ）および加圧用回転部材（Ｆｐ）の圧接領域により形成される定着領域（Ｑ５）を通過する前記記録シート（Ｓ）上のトナー像を定着する。
円筒状の回転スリーブ（１）内部に配置され且つ軸方向に沿って配置されたハロゲンランプ（ｈ）は、加熱用の照射光を出射する。前記ハロゲンランプ（ｈ）か出射した加熱用の照射光は、前記回転スリーブ（１）の内側で且つ前記ハロゲンランプ（ｈ）の外側に配置された固定スリーブ（２）のスリット（２ａ）を通過して前記定着領域（Ｑ５）を通過する前記回転スリーブ（１）の内周面に照射される。このため、定着領域（Ｑ５）の温度は上昇する。
前記加熱ロール（Ｆｈ）の回転可能に支持された遮光部（６ａ）は、回転時に前記ハロゲンランプ（ｈ）から前記スリット（２ａ）に照射される光の軸方向の長さを調節する。
したがって、前記回転可能な遮光部（６ａ）を回転させることにより、定着領域（Ｑ５）を通過するシート幅に応じた幅の定着領域（Ｑ５）を加熱することができる。
【発明の効果】
【００１２】
前述の本発明は、下記の効果（Ｅ01）を奏する。
（Ｅ01）定着装置のサイズを大きくすることなく、定着領域の加熱領域の幅を種々のシート幅のシートに対して正確に調節することができる。
【発明を実施するための最良の形態】
【００１３】
（実施例）
次に図面を参照しながら、本発明の実施の形態の例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００１４】
（実施例１）
図１は本発明の実施例１の定着装置を備えた画像形成装置の全体説明図である。
図１において、実施例１の画像形成装置（デジタル複写機）Ｕは、プリンタ（画像形成装置本体）Ｕ１、イメージスキャナＵ２、自動原稿搬送装置Ｕ３を有している。
前記自動原稿搬送装置Ｕ３は、イメージスキャナＵ２上面のプラテンガラスＰＧ上に支持されている。
【００１５】
前記自動原稿搬送装置Ｕ３は、複写しようとする複数の原稿Ｇｉが重ねて載置される原稿給紙トレイＴＧ1を有している。前記原稿給紙トレイＴＧ1に載置された複数の各原稿Ｇｉは順次プラテンガラスＰＧ上の複写位置（プラテンロールＧＲ１の圧接位置）を通過して原稿排出ロールＧＲ２から原稿排紙トレイＴＧ２に排出されるように構成されている。
前記自動原稿搬送装置Ｕ３は、その後端部（−Ｘ端部）に設けた左右方向（Ｙ軸方向）に延びるヒンジ軸（図示せず）により前記プラテンガラスＰＧ上面に対して回動可能であり、原稿Ｇｉを作業者が手でプラテンガラスＰＧ上に置く場合に上方に回動される。
【００１６】
前記イメージスキャナＵ２は、ユーザがコピースタート等の作動指令信号を入力操作するＵＩ（ユーザインタフェース）（図１、図５参照）を有している。
前記透明なプラテンガラスＰＧの下方には原稿画像を読み取るための露光光学系Ａが配置されている。
前記自動原稿搬送装置Ｕ３でプラテンガラスＰＧ上面に搬送されて前記複写位置を通過する原稿または手動でプラテンガラスＰＧ上に置かれた原稿（図示せず）からの反射光は、前記露光光学系Ａを介して、ＣＣＤ（固体撮像素子）で電気信号に変換される。
ＩＰＳ（イメージプロセッシングシステム）は、ＣＣＤから入力されるＲ，Ｇ，Ｂ（レッド、グリーン、ブルー）の電気信号をＹ，Ｍ，Ｃ，Ｋ（イエロー、マゼンタ、シアン、黒）の画像データ（デジタルデータ）に変換して一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳ（潜像形成装置）のレーザダイオード（図示せず）に出力する。なお、前記ＵＩ（ユーザインタフェース）、ＩＰＳおよびレーザ駆動回路ＤＬと、後述の現像ロールＲ０、転写ロールＴ１，２次転写ロール（シート転写部材）Ｔ２b等にバイアス電圧を印加する電源回路Ｅ等の動作はコントローラＣにより制御される。
【００１７】
前記ＩＰＳが出力するＹＭＣＫの４色の画像データ（レーザ駆動データ）が入力されたレーザ駆動回路ＤＬは、入力された前記各色の画像データに応じた各色のレーザ駆動信号を所定のタイミングで、各色のＲＯＳ（潜像形成装置）に出力する。
【００１８】
回転可能な各像担持体（感光体）Ｐｙ，Ｐｍ，Ｐｃ，Ｐｋの表面はその回転時に帯電領域を通過する際、それぞれの帯電ロール（帯電部材）ＣＲにより一様に帯電された後、潜像形成位置を通過する際、前記各色のＲＯＳ（潜像形成装置）の出力する光ビームＬによりその表面に静電潜像が形成される。前記像担持体Ｐｙ，Ｐｍ，Ｐｃ，Ｐｋ表面の静電潜像はそれぞれ、各現像器（現像装置）Ｇｙ，Ｇｍ，Ｇｃ，Ｇｋと対向する現像領域において各色ＹＭＣＫのトナー像に現像される。なお、前記各現像器Ｇｙ，Ｇｍ，Ｇｃ，Ｇｋは、各色のトナーを収容した現像容器と、前記現像容器に回転可能に支持され且つ前記像担持体Ｐｙ，Ｐｍ，Ｐｃ，Ｐｋ表面の静電潜像にトナーを搬送してトナー像に現像する現像ロールＲ０を有している。なお、前記各色の現像器Ｇｙ，Ｇｍ，Ｇｃ，Ｇｋの現像容器にはトナーカートリッジＴY〜ＴKから各色のトナーが補給されるように構成されている。
【００１９】
前記現像された各色ＹＭＣＫのトナー像は、前記各像担持体Ｐｙ，Ｐｍ，Ｐｃ，Ｐｋとエンドレスの中間転写ベルト（像担持体）Ｂとが接触する１次転写領域Ｑ３に搬送される。前記各１次転写領域Ｑ３において中間転写ベルトＢの裏面側に配置された１次転写ロールＴ１には、コントローラＣにより制御される電源回路Ｅから所定のタイミングで現像剤の帯電極性と逆極性の１次転写電圧が印加される。前記各像担持体Ｐｙ〜Ｐｋ上のトナー像は前記各１次転写ロールＴ１に対向する１次転写領域Ｑ３において中間転写ベルトＢに重ねて１次転写される。１次転写後の像担持体Ｐｙ，Ｐｍ，Ｐｃ，Ｐｋ表面の残留トナーは、像担持体クリーナＣＬｐで除去される。
【００２０】
前記各像担持体Ｐｙ〜Ｐｋ、各色のＲＯＳ（潜像形成装置）、各色の現像器Ｇｙ〜Ｇｋによって、前記各像担持体Ｐｙ〜Ｐｋ上に各色のトナー像を形成する各色のトナー像形成装置ＵＹ（Ｐｙ＋ＲＯＳ＋Ｇｙ），ＵＭ（Ｐｍ＋ＲＯＳ＋Ｇｍ），ＵＣ（Ｐｃ＋ＲＯＳ＋Ｇｃ），ＵＫ（Ｐｋ＋ＲＯＳ＋Ｇｋ）が構成される。
【００２１】
前記各色の像担持体Ｐｙ，Ｐｍ，Ｐｃ，Ｐｋの下方には左右一対のスライドレールＳＲ，ＳＲによりスライドフレームＦ１が前後方向（紙面に垂直な方向、すなわち、Ｘ軸方向）にスライド移動可能に支持されている。スライドフレームＦ１にはベルトモジュールＢＭのベルトフレームＦ２が上昇した動作位置（像担持体Ｐｙ〜Ｐｋに接触する位置）と下方に移動したメンテナンス位置（像担持体Ｐｙ〜Ｐｋから下方に離れた位置）との間で昇降可能に支持されている。前記ベルトモジュールＢＭが前記ベルトメンテナンス位置に下降した状態では、前記スライドフレームＦ１およびこれに支持されたベルトモジュールＢＭを、前記像担持体Ｐｙ〜Ｐｋと摩擦接触させることなく、画像形成装置本体Ｕ１に対して出入させることができるように構成されている。
前記スライドフレームＦ１を前後移動させる構成およびベルトモジュールＢＭを昇降させる構成は、従来公知（例えば、特開平８−１７１２４８号公報参照）であり、従来公知の種々の構成を採用することが可能である。
【００２２】
前記ベルトモジュールＢＭは、前記中間転写ベルトＢと、ベルト駆動ロールＲｄ、テンションロールＲｔ、ウォーキングロールＲｗ、複数のアイドラロール（フリーロール）ＲｆおよびバックアップロールＴ２ａを含むベルト支持ロール（Ｒｄ，Ｒt，Ｒｗ，Ｒｆ，Ｔ２ａ）と、前記４個の１次転写ロールＴ１とを有している。そして、前記中間転写ベルトＢは前記ベルト支持ロール（Ｒｄ，Ｒt，Ｒｗ，Ｒｆ，Ｔ２ａ）により矢印Ｙａ方向に回転移動可能に支持されている。
【００２３】
前記バックアップロールＴ２aに接する中間転写ベルトＢの表面に対向して２次転写ロール（シート転写部材）Ｔ２bが配置されており、中間転写ベルトＢおよび２次転写ロールＴ２bの対向する領域には２次転写領域（シート転写領域）Ｑ４が形成される。前記２次転写ロールＴ２bにはコントローラＣにより制御される電源回路Ｅから所定のタイミングで現像剤の帯電極性と逆極性の２次転写電圧が印加される。前記２次転写ロールＴ２bに対向して配置された前記バックアップロールＴ２aはアース（接地）されており、前記２次転写ロールＴ２bに２次転写電圧が印加されたときには、前記２次転写ロールＴ２bおよびバックアップロールＴ２a間には２次転写電界が形成される。前記バックアップロールＴ２aおよび２次転写ロールＴ２bにより２次転写器Ｔ２が構成される。
前記４個の１次転写ロールＴ１および中間転写ベルトＢを含むベルトモジュールＢＭと、２次転写器Ｔ２等により、トナー像形成装置（ＵＹ，ＵＭ，ＵＣ，ＵＫ）の像担持体Ｐｙ〜Ｐｋ表面に形成されたトナー像を記録シートＳに転写する転写装置（ＢＭ＋Ｔ２）が構成されている。
【００２４】
プリンタ（画像形成装置本体）Ｕ１の下部には、シートＳを収容した給紙トレイＴＲ１〜ＴＲ３および給紙用搬送路ＳＨ１が設けられている。また、前記給紙用搬送路ＳＨ１には手差トレイＴＲ４から給紙できるように構成されている。前記給紙トレイＴＲ１〜ＴＲ３に収容されたシートＳは、所定のタイミングでピックアップロールＲｐにより取り出され、さばきロールＲｓで１枚づつ分離されて、搬送ロールＲａによりレジロールＲｒに搬送される。また、手差トレイＴＲ４から給紙されたシートは搬送ロールＲａによりレジロールＲｒに搬送される。前記レジロールＲｒに搬送された記録シートＳは、前記中間転写ベルトＢに１次転写された多重トナー像または単色トナー像が２次転写領域Ｑ４に移動するのにタイミングを合わせて、２次転写領域Ｑ４に搬送される。
前記２次転写領域Ｑ４を記録シートＳが通過する際、２次転写ロールＴ２bに前記２次転写電圧が印加されるので、前記中間転写ベルトＢに重ねて１次転写されたカラートナー像は、前記２次転写領域Ｑ４において一括して記録シートＳに２次転写される。
２次転写後の中間転写ベルトＢはベルトクリーナＣＬbにより残留トナーが除去される。
【００２５】
トナー像が２次転写された前記記録シートＳは、転写後シートガイドＳＧ、シート搬送ベルトＨＢにより定着領域Ｑ５に搬送され、定着領域Ｑ５を通過する際に定着装置Ｆにより加熱定着される。トナー像が定着された記録シートＳは、シート排出路ＳＨ2または両面記録用搬送路ＳＨ3に搬送される。シート排出路ＳＨ2に搬送されたシートは前記排紙トレイＴＲｈに排出され、シート反転路ＳＨ3に搬送されたシートは表裏反転された後、シート循環路ＳＨ４から前記レジロールＲｒに再送される。
前記符号Ｒｐ，Ｒｓ，Ｒｒ，ＳＧ，ＢＨ，ＳＨ１，ＳＨ２，ＳＨ３，ＳＨ４等で示された要素によりシート搬送装置ＳＨが構成されている。
【００２６】
（定着装置）
図２は前記図１に示す定着装置の拡大図である。
図３は前記図２のIII−III線断面図である。
図２、図３において、定着装置Ｆは、互いに圧接しながら回転する加熱ロールＦｈと加圧ロール（加圧用回転部材）Ｆｐからなる定着用回転部材Ｆｈ＋Ｆｐとを有している。前記加熱ロールＦｈと加圧ロールＦｐとの圧接領域により定着領域Ｑ５が形成されている。
加熱ロールＦｈは、そのロール軸方向両端部が軸受Ｆｈａ，Ｆｈａを介して図示しないフレームに回転可能に支持されている。前記加熱ロールＦｈの一端部にはギヤＧ１が装着されている。前記定着領域Ｑ５を通過する加熱ロールＦｈの中央部の表面温度は中央部温度センサＳＮ１により検出され、外端部の表面温度は外端部温度センサＳＮ２により検出される。
また、加圧ロールＦｐのロール軸方向両端部は軸受Ｆｐａ，Ｆｐａを介して図示しないフレームに回転可能に支持されている。
【００２７】
図３において、定着領域Ｑ５の幅と、前記定着領域を通過するシート幅との関係が図示されている。
Ａ４ＬＥＦシート（Ａ４ロングエッジフィードのシート、すなわち、Ａ４ＬＥ（ロングエッジ）が前端となって搬送されるシート）およびＡ３ＳＥＦシート（Ａ３ショートエッジフィードのシート、すなわち、Ａ３ＳＥ（Ａ３ショートエッジ）が前端となって搬送されるシート）が通過する領域の幅は、（Ｒ２）で示されている。
Ａ４ＳＥＦ（Ａ４ショートエッジフィードのシート）が通過する領域の幅は（Ｒ１）で示されている。
また、図３には、LedgerＳＥＦシート（レジャーショートエッジフィードのシート）、LetterＬＥＦシート（レターサイズロングエッジフィードのシート）、Ｂ４ＳＥＦシート（Ｂ４ショートエッジフィードのシート）、Ｂ５ＬＥＦシート（Ｂ５ロングエッジフィードのシート）、LetterＳＥＦシート（レターサイズショートエッジフィードのシート）、Ｂ５ＳＥＦシート（Ｂ５ショートエッジフィードのシート）等のシートのシート幅と定着領域Ｑ５の幅との関係も示されている。
【００２８】
加熱ロールＦｈは、回転スリーブ１と、前記回転スリーブ１の前後の各端部に連結された前端円筒部材１ａ、後端円筒部材１ｂと、前記各円筒部材１ａ，１ｂを回転可能に支持するベアリングＦｈa，Ｆｈaと、前記回転スリーブ内部に配置され且つ軸方向に沿って配置されたハロゲンランプ（ハロゲンランプ）ｈと、前記回転スリーブ１の内側で且つ前記ハロゲンランプｈの外側に配置された円筒状の固定スリーブ２と、前記固定スリーブ２の両端にベアリング３，３を介して回転可能に支持された回転遮光部材４とを有している。
図４は固定スリーブの説明図で、図４Ａは縦断面図、図４Ｂは前記図４ＡのＩＶＢ−ＩＶＢ線断面図である。
図２〜図４において、固定スリーブ２には、前記ハロゲンランプｈの光を前記定着領域Ｑ５を通過して回転する前記回転スリーブ１の内周面に照射するスリット２ａ（図４参照）が形成されている。
【００２９】
図５は回転遮光部材の説明図で、図５Ａは回転遮光部材の実施例１の斜視図、図５Ｂは回転遮光部材の実施例２の斜視図である。
図２，図３において、前記固定スリーブ２の両端部にベアリング３，３を介して回転可能に支持された回転遮光部材４は、一方の端部にギヤＧ２が装着されている。
図５Ａにおいて、実施例１の回転遮光部材４は、ステンレス管により形成されており、開口部４ａが形成されている。開口部４ａは、軸方向に延びる底辺４ａ1と前記底辺４ａ1の両端から中央部に向かって斜めに延びる一対の斜辺４ａ2，４ａ2とを有する２等辺３角形に形成されている。
図５Ｂにおいて、実施例２の回転遮光部材４は、ステンレス管により形成されており、開口部４ｂが形成されている。開口部４ｂは軸方向に延びる底辺４ｂ1と前記底辺４ｂ1の一端部から垂直に円周方向に延びる短辺４ｂ2と、前記底辺４ｂ1の他端部から斜めに延びる斜辺４ｂ3とを有する直角３角形に形成されている。
【００３０】
図６は前記図５Ａに示す回転遮光部材を回転させる構成の説明図である。
図６において、前記固定スリーブ２の両端にベアリング３，３を介して回転可能に支持された円筒状の回転遮光部材４の前端部にはギヤＧ２が装着されており、前記ギヤＧ２は、モータＭにより回転駆動される駆動ギヤＧ３とかみ合っている。前記駆動ギヤＧ３が回転すると、前記ギヤＧ２および回転遮光板４が回転する。
図２において、固定スリーブ２のスリット２ａの位置は固定であり、ハロゲンランプｈの照射光が定着領域Ｑ５の所定部分とその所定部分からシート搬送方向上流側の所定領域とに照射されるように配置されている。図２において回転遮光部材４を回転させると、前記スリット２ａとハロゲンランプｈとを結ぶ直線上に配置される前記回転遮光部材４の開口部４ａの軸方向の長さが変化する。したがって、ハロゲンランプｈから照射光を出射して、前記開口部４ａおよび前記スリット２ａを順次通過して前記回転スリーブ１の内周面に照射される照射光の照射領域は、前記軸方向に調節される。
【００３１】
（実施例１の作用）
前記図５Ａに示す実施例１の回転遮光部材４を使用した場合、前記図２において回転遮光部材４を回転させることにより、前記回転スリーブ１の内周面に照射される照射光の前記軸方向の照射領域の長さを、使用するシート幅に応じて調節することができる。このため、定着領域Ｑ５の加熱領域の幅を種々のシート幅に対して正確に調節することができる。
【００３２】
（実施例２）
前記図５Ｂに示す実施例２の回転遮光部材４を使用した場合、前記図２において回転遮光部材４を回転させることにより、前記回転スリーブ１の内周面に照射される照射光の前記軸方向の照射領域の長さを、使用するシート幅に応じて、前記実施例１と同様に調節することができる。
【００３３】
（実施例３）
図７は本発明の実施例３の定着装置の拡大図で、前記実施例１の図２に対応する図である。
図８は前記図７のＶIII−ＶIII線断面図で、前記実施例１の図３に対応する図である。
図９は前記図８に示す回転遮光部材を回転させる構成の説明図で、前記実施例１の図６に対応する図である。
なお、この実施例３の説明において、前記実施例１の構成要素に対応する構成要素には同一の符号を付して、その詳細な説明を省略する。
この実施例３は、下記の点で前記実施例１と相違しているが、他の点では前記実施例１と同様に構成されている。
【００３４】
図７〜図９において、実施例３の定着装置では、回転遮光部材４が省略されており、その代わりに、ハロゲンランプｈのガラス管６の表面には遮光膜（遮光部）６ａが形成されている。前記ガラス管６表面の遮光膜６ａが形成されていない部分は、前記実施例１の回転遮光部材４の開口部４ａ（前記図５Ａ参照）と同様に、２等辺３角形（図９参照）に形成されている。
【００３５】
図８、図９において、ハロゲンランプｈのガラス管６の軸方向両端部（前後方向両端部）には、円筒状樹脂７，７が固着されている。前記円筒状樹脂７，７はベアリング８，８を介して前記ガラス管６と連れ回り可能に支持されている。前記後側（−Ｘ側）のベアリング８にはギヤＧ４が固着されている。ギヤＧ４はモータＭにより回転駆動される駆動ギヤＧ５にかみ合っている。前記駆動ギヤＧ５が回転すると、前記ギヤＧ４およびハロゲンランプｈが回転する。
ハロゲンランプｈが回転すると、ガラス管６の表面の前記遮光膜６ａが形成されていない部分（ハロゲンランプの照射光が透過する部分）の位置が回転する。このとき、前記回転スリーブ１の内周面に照射される照射光の前記軸方向の照射領域の長さを、使用するシート幅に応じて、前記実施例１と同様に調節することができる。
【産業上の利用可能性】
【００３６】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（Ｈ01）加圧ロールＦｐの代わりにエンドレスベルト式またはエンドレスフィルム式の加圧用回転部材を使用可能である。
（Ｈ02）本発明は、タンデム式のカラー画像形成装置以外の種々の画像形成装置の定着装置に適用可能である。
【図面の簡単な説明】
【００３７】
【図１】図１は本発明の実施例１の定着装置を備えた画像形成装置の全体説明図である。
【図２】図２は前記図１に示す定着装置の拡大図である。
【図３】図３は前記図２のIII−III線断面図である。
【図４】図４は固定スリーブの説明図で、図４Ａは縦断面図、図４Ｂは前記図４ＡのＩＶＢ−ＩＶＢ線断面図である。
【図５】図５は回転遮光部材の説明図で、図５Ａは回転遮光部材の実施例１の斜視図、図５Ｂは回転遮光部材の実施例２の斜視図である。
【図６】図６は前記図５Ａに示す回転遮光部材を回転させる構成の説明図である。
【図７】図７は本発明の実施例３の定着装置の拡大図で、前記実施例１の図２に対応する図である。
【図８】図８は前記図７のＶIII−ＶIII線断面図で、前記実施例１の図３に対応する図である。
【図９】図９は前記図８に示す回転遮光部材を回転させる構成の説明図で、前記実施例１の図６に対応する図である。
【符号の説明】
【００３８】
１・・・円筒状の回転スリーブ、
２・・・固定スリーブ、
２ａ・・・スリット、
４・・・回転遮光部材、
６ａ・・・遮光部、
ＢＭ＋Ｔ２・・・転写装置、
ＣＲ・・・帯電部材、
Ｆ・・・定着装置、
Ｆｈ・・・加熱ロール、
Ｆｐ・・・加圧用回転部材、
Ｇｙ〜Ｇｋ・・・現像装置、
ｈ・・・ハロゲンランプ、
Ｐｙ〜Ｐｋ・・・感光体、
Ｑ３・・・転写領域、
Ｑ４・・・シート転写領域、
Ｑ５・・・定着領域、
ＲＯＳ・・・潜像形成装置、
Ｓ・・・記録シート、
ＳＨ・・・シート搬送装置、
ＵＹ〜ＵＫ・・・像形成装置。
【図１】
2006267420.tif 000003
【図２】
2006267420.tif 000004
【図３】
2006267420.tif 000005
【図４】
2006267420.tif 000006
【図５】
2006267420.tif 000007
【図６】
2006267420.tif 000008
【図７】
2006267420.tif 000009
【図８】
2006267420.tif 000010
【図９】
2006267420.tif 000011